(57)【要約】【課題】リムーバブルハードディスクが挿入されない限りロード動作が行われないようにする。【解決手段】ムーバブルハードディスク駆動装置Ａは、リムーバブルハードディスク２１の底面に当接する第１の位置に設けられリムーバブルハードディスク２１が内部に挿入されたことを検出するスイッチＳＷ１に加えて、挿入方向のスイッチＳＷ１とは空間的に異なる位置、好ましくは、リムーバブルハードディスク２１挿入方向側に向けて前方であって、側面に当接する位置にスイッチＳＷ（２）３１及びスイッチＳＷ（３）３３が設けられている。スイッチＳＷ２、ＳＷ３のうち一方のみを設けても良い。リムーバブルハードディスク２１を装着のためにこれを押すと、ＳＷ（１）１５がオフになりローダーメカが動作し電動モータ１３でロードしようとするが、この際、ＳＷ（２）３１、３３がオンした場合にのみ、すなわち実際にリムーバブルハードディスク２１が挿入された場合にのみロード動作が継続し完了するようにすることができる。【選択図】図１
2007294030.tif 000002
【特許請求の範囲】
【請求項１】
カセット型のリムーバブルディスクを挿入可能に設けられたカセット挿入口とカセット通路とを有し、リムーバブルディスクを押し込んで挿入すると自動的に前記通路に沿ってロードされるロード機構を備えた筐体を有するリムーバブルディスク駆動装置において、
前記リムーバブルディスクの底面に当接する前記カセット通路に対する第１の位置に設けられ前記リムーバブルディスクが前記挿入口から前記カセット通路を通って前記筐体の内部に挿入されたことを検出する第１の検出部と、
前記第１の検出部とは空間的に異なる前記カセット通路における挿入方向の位置に設けられ、前記リムーバブルディスクが前記挿入口から前記カセット通路を通って前記筐体の内部に挿入されたことを検出する第２の検出部であって、前記第１の検出部による検出後に前記リムーバブルディスクが検出されると前記リムーバブルディスクの前記カセット通路に沿ったロード動作を継続する第２の検出部と
を備えたことを特徴とするリムーバブルディスク駆動装置。
【請求項２】
前記第２の検出部は、前記リムーバブルハードディスクの前記筐体における挿入方向に向けて前方であって側面に当接する前記カセット通路に対する第２の位置に設けられることを特徴とする請求項１に記載のリムーバブルディスク駆動装置。
【請求項３】
前記第２の検出部は、前記リムーバブルハードディスクの両側面に当接する位置に設けられていることを特徴とする請求項１又は２に記載のリムーバブルディスク駆動装置。
【請求項４】
前記第２の検出部は、前記リムーバブルハードディスクにより押圧されて電気的にオンオフするスイッチであることを特徴とする請求項１から３までのいずれか１項に記載のリムーバブルディスク駆動装置。
【請求項５】
前記第２の検出部は、前記リムーバブルディスクの側面に設けられ、該側面から内側に向かう溝部と、
前記カセット通路に設けられ前記溝部と嵌合する位置に設けられた嵌合用の爪部と、
により構成されていることを特徴とする請求項１から３までのいずれか１項に記載のリムーバブルディスク駆動装置。
【請求項６】
前記爪部は、固定ピンにより前記ムーバブルハードディスク駆動装置に前記爪部を回転可能に固定される基部と、該基部に対して前記溝部に入る方向に曲げられている係止部と、を有していることを特徴とする請求項５に記載のリムーバブルディスク駆動装置。
【請求項７】
前記リムーバブルディスクの側面に設けられた逆挿入防止用ガイドレールを構成する凹溝部と、
前記カセット通路に設けられ正規の方向に挿入した場合に前記逆挿入防止用ガイドレール内に入る位置に設けられた側面から突出するように設けられた逆挿入防止ガイドと
を有することを特徴とする請求項１から６までのいずれか１項に記載のリムーバブルディスク駆動装置。
【発明の詳細な説明】
【技術分野】
【０００１】
本発明は、リムーバブルディスク駆動装置に関し、特に、リムーバブルディスク駆動装置を利用した機器におけるローダー機構に関する。
【背景技術】
【０００２】
ハードディスク駆動装置は、高速かつ高密度の情報記憶が可能なため、様々な電子機器に利用されるようになってきている。
【発明の開示】
【発明が解決しようとする課題】
【０００３】
リムーバブルディスク駆動装置、例えばリムーバブルハードディスク（以下本名称でよぶ）を利用した機器においては、主として電気モータなどを使用したローダー機構が採用されている。図８は、一般的なリムーバブルハードディスク駆動装置Ｘの構成と利用形態とを示す斜視図である。図８に示すように、リムーバブルハードディスク駆動装置Ｘの本体部１００には、カセット型のリムーバブルハードディスク１２１が挿入可能なようにカセット挿入口１０３とこれに続くカセット通路１０４とが設けられ、Ｌ３方向にリムーバブルハードディスク１２１をカセット通路１０４に沿って押し込んで挿入することでリムーバブルハードディスク１２１をリムーバブルハードディスク駆動装置Ｘ内にロードすることができる。
【０００４】
図９、図１０は、上記リムーバブルハードディスク駆動装置Ｘの断面構造を示す図である。図９、図１０に示すように、リムーバブルハードディスク駆動装置Ｘの本体部（筐体）１００内には、挿入口１０３が設けられている前方部１０１ａと、リムーバブルハードディスク１２１の厚みとほぼ等しい距離の内面を有し、リムーバブルハードディスク１２１を上下から挟持する中間メカアングル１０５と、それに続くカセット通路１０４と、が設けられている。
【０００５】
さらに、中間メカアングル１０５は、モータ１１５により回転駆動される第１のギア１１７と、第１のギア１１７とかみ合わせられて回転する第２のギア１１９と、により、モータ１１５の回転に伴って本体部１００の挿入口１０３とは反対側へ移動することで、リムーバブルハードディスク１２１をカセット通路１０４に沿って内部に引き込む。
【０００６】
図１１に示すように、リムーバブルハードディスク１２１は、その一端がコネクター部１１１に当接することで電気的な接続が可能となっている。また、本体部１００内の挿入口１０３の近くには、リムーバブルハードディスク１２１が、例えば手で押されて内部に挿入されたことを検出するスイッチＳＷ１が配置されている。ここで、中間メカアングル１０５が移動することによりスイッチＳＷ１がオン状態からオフ状態になり、ロード用のモータ１１５が動作を開始し、ロード動作が行われるようになっている。
【０００７】
しかしながら、上記構成においては、リムーバブルハードディスク１２１が実際には挿入されない状態であっても、例えば中間メカアングル１０５を押しただけでロード処理に移行してしまう可能性があった。例えば、別の形態の利用できないディスクを誤って装置内に挿入したり棒でつついたりした場合でも、誤動作が生じる可能性があった。指などの挿入検知でメカが動作してしまうことも考えられる。
【０００８】
本発明は、リムーバブルハードディスクが挿入されない限りロード動作が行われないように安全なメカニズムを提供することを目的とする。
【課題を解決するための手段】
【０００９】
本発明は、ローダーメカに正規にカセットが装着された時のみメカが動作するように、カセットの装着部分にもカセット検出スイッチを設け、正規方向での装着であり、かつ、カセットでのみロード処理が行われるようにすることを特徴とする。
【００１０】
すなわち、本発明の一観点によれば、カセット型のリムーバブルディスクを挿入可能に設けられたカセット挿入口とカセット通路とを有し、リムーバブルディスクを押し込んで挿入すると自動的に前記通路に沿ってロードされるロード機構を備えた筐体を有するリムーバブルディスク駆動装置において、前記リムーバブルディスクの底面に当接する前記カセット通路に対する第１の位置に設けられ前記リムーバブルディスクが前記挿入口から前記カセット通路を通って前記筐体の内部に挿入されたことを検出する第１の検出部と、
前記第１の検出部とは空間的に異なる前記カセット通路における挿入方向の位置に設けられ、前記リムーバブルディスクが前記挿入口から前記カセット通路を通って前記筐体の内部に挿入されたことを検出する第２の検出部であって、前記第１の検出部による検出後に前記リムーバブルディスクが検出されると前記リムーバブルディスクの前記カセット通路に沿ったロード動作を継続する第２の検出部と、を備えたことを特徴とするリムーバブルディスク駆動装置が提供される。これにより、第２の検出部によりリムーバブルディスクであることが確認されない限り、リムーバブルディスクの前記カセット通路に沿ったロード動作が継続されないようになる。
【００１１】
前記第２の検出部は、前記リムーバブルハードディスクの前記筐体における挿入方向に向けて前方であって側面に当接する前記カセット通路に対する第２の位置に設けられることが好ましい。
【００１２】
また、前記第２の検出部は、前記リムーバブルハードディスクの両側面に当接する位置に設けられていることが好ましい。さらに、前記第２の検出部は、前記リムーバブルハードディスクにより押圧されて電気的にオンオフするスイッチであることが好ましい。
【００１３】
また、前記第２の検出部は、前記リムーバブルディスクの側面に設けられ、該側面から内側に向かう溝部と、前記カセット通路に設けられ前記溝部と嵌合する位置に設けられた嵌合用の爪部と、によりメカニカルに構成することも可能である。
この際、前記爪部は、固定ピンにより前記ムーバブルハードディスク駆動装置に前記爪部を回転可能に固定される基部と、該基部に対して前記溝部に入る方向に曲げられている係止部と、を有しているが好ましい。前記リムーバブルディスクの側面に設けられた逆挿入防止用ガイドレールを構成する凹溝部と、前記カセット通路に設けられ正規の方向に挿入した場合に前記逆挿入防止用ガイドレール内に入る位置に側面から突出するように設けられた逆挿入防止ガイドと、を有することが好ましい。
【発明の効果】
【００１４】
リムーバブルディスクのロード時に、リムーバブルディスクがない場合は、ロード動作に移行しないためユーザー使用時の指での挿入時の誤動作などを防止することができる。また、正規挿入しないとロード処理が動作しないため、誤った方向または別のカセットによるメカ誤動作を防止できる。
【発明を実施するための最良の形態】
【００１５】
以下に、本発明の実施の形態によるリムーバブルハードディスク駆動装置について、図面を参照しながら説明を行う。まず、本発明の第１の実施の形態によるリムーバブルハードディスク駆動装置について説明する。図１は、本実施の形態によるリムーバブルハードディスク駆動装置Ａの断面図（上図）と上面図（下図）である。図２は、図１に示すリムーバブルハードディスク駆動装置Ａの動作例を示す図である。図１に示すリムーバブルハードディスク駆動装置Ａの基本構造は、図８から図１１までにより説明した一般的な構造と同様であるため符号を付すがその説明は省略し、特徴点については説明を行うこととする。
【００１６】
図１に示すように、本実施の形態によるリムーバブルハードディスク駆動装置Ａは、筐体１内に挿入口から内部に続くカセット通路４が設けられている。リムーバブルハードディスク２１の底面に当接する第１の位置に設けられリムーバブルハードディスク２１が内部に挿入されたことを検出するスイッチＳＷ１（１５）に加えて、挿入方向のスイッチＳＷ１とは空間的に異なる位置、好ましくは、図１のリムーバブルハードディスク２１挿入方向側に向けて前方であって、側面に当接する位置にスイッチＳＷ（２）３１およびスイッチＳＷ（３）３３が設けられている。スイッチＳＷ２、ＳＷ３のうち一方のみを設けても良い。
【００１７】
尚、モータ１３と中間メカアングル３とによりリムーバブルハードディスク２１をロードするロード機構６は周知の機構であるが、モータ１３の回転力を回転ギア６ａからギア（１）５、ピニオン６ｂ、ラック６ｃを介して中間メカアングル３を引き込む動作が例としてあげられる。
【００１８】
図２に示すように、リムーバブルハードディスク２１を装着のためにこれを押すと、ＳＷ（１）１５がオフになりローダーメカが動作し電動モータ１３でロードしようとするが、この際、図３に示すように、ＳＷ（２）３１、３３がオンした場合にのみ、すなわち、実際にリムーバブルハードディスク２１が挿入された場合にのみロード動作が継続し完了するようにすることができる。従って、リムーバブルハードディスク２１のロード処理に関する安全性と信頼性とが向上するという利点がある。
【００１９】
以上に説明したように、第１のスイッチ１５に加えて、リムーバブルハードディスク２１の幅検出機構としてリムーバブルディスク２１の側面に当接する位置に設けられたスイッチ３１、３３を設けることにより、リムーバブルハードディスク２１の幅を検出し、この幅を有するものがロードされたことを確認することができるため、誤動作に確率が非常に低くなる。
【００２０】
次に、本発明の第２の実施の形態によるリムーバブルハードディスク駆動装置について、図面を参照しながら説明を行う。まず、本発明の第２の実施の形態によるリムーバブルハードディスク駆動装置について説明する。基本構成は第１の実施の形態と同様である。図４および図５は、本実施の形態によるリムーバブルハードディスク駆動装置Ｂの断面図（上図）と上面図（下図）である。図６および図７は、図４および図５に示すリムーバブルハードディスク駆動装置Ｂの動作例を示す図である。図４および図５に示すリムーバブルハードディスク駆動装置Ｂの基本構造は、第１の実施の形態及び図８から図１１までにより説明した一般的な構造と同様であるのでその説明は省略し、本実施の形態の特徴点について説明を行う。本実施の形態によるリムーバブルハードディスク駆動装置Ｂは、リムーバブルハードディスク２１の幅を検出可能な位置にメカニカルな工夫を施したものである。図４を参照しながらメカニカルな機構について説明する。
【００２１】
図４に示すように、リムーバブルハードディスク２１の両側面に、側面から内側に向かう溝部（凹部）４３が設けられている。そして、この溝部４３と外側面から嵌合する位置に嵌合用の爪部（カセット用ロックツメ）３７が設けられている。この爪部３７は、固定ピン４５によりムーバブルハードディスク駆動装置Ｂに爪部３７を回転可能に固定される基部３７ｂと、この基部に対して例えば上記溝部４３に入る方向に９０度曲げられている係止部３７ａとを有している。
【００２２】
図５に示すように、リムーバブルハードディスク２１を筐体１の奥方向に向けて挿入していき、爪部３７の係止部３７ａが溝部４３に嵌合すると、ロード機構が作動するようになっている。従って、爪部３７の係止部３７ａが嵌合する位置に溝部４３を有する正規のリムーバブルハードディスク２１が挿入された場合以外は、ロード動作が継続されないようになっている。
【００２３】
尚、正規のリムーバブルハードディスク２１であっても、例えば裏返しに挿入してしまった場合に、単に幅のみの検出では不十分になる場合がある。このような場合への対策について図６および図７を参照しながら説明を行う。図６に示すように、正規のリムーバブルハードディスク２１の側面に逆挿入防止用ガイドレール４３（凹溝部）が設けられ、正規の方向（裏返しなどではない）に挿入した場合に逆挿入防止用ガイドレール４３内に入る位置に逆挿入防止ガイド４１が側面から突出するように設けられる。正規の方向に挿入された場合には、逆挿入防止ガイド４１が逆挿入防止用ガイドレール４３内に入り、リムーバブルハードディスク２１の奥方向への進行を妨げないように案内する。
【００２４】
一方、図７に示すように、正規のリムーバブルハードディスク２１であっても、正規の方向ではない（裏返しなど）に挿入した場合には、逆挿入防止ガイド４１が正規のリムーバブルハードディスク２１の挿入方向の端部に当たってしまい、これ以上の挿入を阻止することにより、裏返しの挿入を防止することができる。
【００２５】
以上に説明したように、リムーバブルハードディスクが無い場合にはロード動作に移行しないように構成することで、ユーザー使用時の子供の指などによる挿入時の誤動作を防止することができる。また、リムーバブルハードディスク検出機構を設けることで、正規に挿入しない場合にはロード処理が行われないようにすることで、誤った方向、または  別の大きさに関する規格を有するカセット（テープカセットなど）による誤動作を防止できるという利点がある。
【産業上の利用可能性】
【００２６】
本発明は、リムーバブルハードディスク駆動装置などのカセット型ディスク駆動装置に利用可能である。
【図面の簡単な説明】
【００２７】
【図１】本発明の第１の実施の形態によるリムーバブルハードディスク駆動装置Ａの断面図（上図）と上面図（下図）である。
【図２】図１に示すリムーバブルハードディスク駆動装置の動作例を示す図である。
【図３】図１に示すリムーバブルハードディスク駆動装置の動作例を示す図である。
【図４】本発明の第２の実施の形態によるリムーバブルハードディスク駆動装置の断面図（上図）と上面図（下図）である。
【図５】本発明の第２の実施の形態によるリムーバブルハードディスク駆動装置の断面図（上図）と上面図（下図）である。
【図６】図４および図５に示すリムーバブルハードディスク駆動装置Ｂの動作例を示す図である。
【図７】図４および図５に示すリムーバブルハードディスク駆動装置Ｂの動作例を示す図である。
【図８】一般的なリムーバブルハードディスク駆動装置Ｘの構成と利用形態とを示す斜視図である。
【図９】リムーバブルハードディスク駆動装置の断面構造を示す図である。
【図１０】リムーバブルハードディスク駆動装置の断面構造を示す図である。
【図１１】リムーバブルハードディスク駆動装置の断面構造を示す図である。
【符号の説明】
【００２８】
Ａ…リムーバブルハードディスク駆動装置、１…筐体、１ｂ…挿入口、４…カセット通路、１５…スイッチＳＷ（１）、２１…リムーバブルハードディスク、３１…スイッチＳＷ（２）、３３…スイッチＳＷ（３）。
【図１】
2007294030.tif 000003
【図２】
2007294030.tif 000004
【図３】
2007294030.tif 000005
【図４】
2007294030.tif 000006
【図５】
2007294030.tif 000007
【図６】
2007294030.tif 000008
【図７】
2007294030.tif 000009
【図８】
2007294030.tif 000010
【図９】
2007294030.tif 000011
【図１０】
2007294030.tif 000012
【図１１】
2007294030.tif 000013